(57)【要約】【課題】異サイズ、異種コネクタ形状を有する複数の放射線撮影装置に対しても充電、保持可能であり、かつ省スペースを実現した充電装置を提供する。【解決手段】受電部を備えた放射線撮影装置を収納して受電部へ電力を供給する充電装置であって、受電部へ電力を供給する給電部と、放射線撮影装置が収納された状態において、放射線撮影装置の１つの面と対向する第１の面と、放射線撮影装置の受電部が配置された面と対向する第２の面とを有する収納部と、給電部と放射線撮影装置の１つの面との位置関係を調整する位置調整部とを備える。【選択図】  図４
2017079934.tif 000002
【特許請求の範囲】
【請求項１】
受電部を備えた放射線撮影装置を収納して前記受電部へ電力を供給する充電装置であって、
前記受電部へ電力を供給する給電部と、
前記放射線撮影装置が収納された状態において、前記放射線撮影装置の１つの面と対向する第１の面と、前記放射線撮影装置の前記受電部が配置された面と対向する第２の面とを有する収納部と、
前記給電部と前記放射線撮影装置の１つの面との位置関係を調整する位置調整部と
を備えることを特徴とする充電装置。
【請求項２】
前記位置調整部は、前記給電部と前記放射線撮影装置の１つの面との位置関係を調整するための駆動機構を有する位置調整機構であることを特徴とする請求項１に記載の充電装置。
【請求項３】
前記位置調整機構は、
ユーザが位置調整動作を行うためのハンドル部と、
前記位置調整動作が行われた前記第１の面又は前記第２の面の位置を固定するためのロック部と
を備えることを特徴とする請求項２に記載の充電装置。
【請求項４】
前記放射線撮影装置の重量を測定する測定部と、
前記測定部による測定結果に基づいて前記位置調整部を制御する制御手段と
をさらに備えることを特徴とする請求項１又は２に記載の充電装置。
【請求項５】
前記放射線撮影装置の識別情報を読み取る読取部と、
前記読取部による読取結果に基づいて前記位置調整部を制御する制御手段と
をさらに備えることを特徴とする請求項１又は２に記載の充電装置。
【請求項６】
前記位置調整部は、前記充電装置に着脱可能な位置調整部材であり、当該位置調整部材が前記第１の面又は前記第２の面を形成することを特徴とする請求項１に記載の充電装置。
【請求項７】
前記位置調整部は、前記充電装置の前記給電部と前記放射線撮影装置の前記受電部とを中継する中継アダプタとしてさらに機能することを特徴とする請求項６に記載の充電装置。
【請求項８】
前記第１の面は前記放射線撮影装置が載置される底部を形成し、前記第２の面は壁面部を形成することを特徴とする請求項１乃至７の何れか１項に記載の充電装置。
【請求項９】
前記第１の面は壁面部を形成し、前記第２の面は前記放射線撮影装置が載置される底部を形成することを特徴とする請求項１乃至７の何れか１項に記載の充電装置。
【請求項１０】
前記位置調整部は、前記底部の前記放射線撮影装置が載置される載置面から前記給電部までの長さと、前記放射線撮影装置の前記底部と接する面から前記受電部までの長さとを略同一に調整することを特徴とする請求項８又は９に記載の充電装置。
【請求項１１】
前記底部の前記放射線撮影装置が載置される載置面の形状が、前記底部と接する前記放射線撮影装置の面の形状に対応するように形成されていることを特徴とする請求項８又は９に記載の充電装置。
【発明の詳細な説明】
【技術分野】
【０００１】
本発明は、放射線撮影装置の充電装置に関するものである。
【背景技術】
【０００２】
現在、可搬型のデジタル放射線撮影装置（電子カセッテ）が製品化されている。これらの多くは、ＪＩＳ Ｚ ４９０５（ＩＳＯ４０９０）において規定された規格サイズのフィルムカセッテの外形に合せて設計されている。また、近年では無線による外部装置とのデータ授受や二次電池を内蔵したワイヤレス電子カセッテも開発され、用途によって使い分けられるよう様々なサイズで製品化が展開され、専用の充電装置も開発されている。
【０００３】
電子カセッテの充電を行う際は、電子カセッテの一部の面に設けられた受電部に、充電装置に配置されている給電部から電力が供給されることにより充電される。特許文献１では、多様なサイズの電子カセッテに対応可能な充電装置が提案されている。
【先行技術文献】
【特許文献】
【０００４】
【特許文献１】特開２００９−２３７２９３号公報
【発明の概要】
【発明が解決しようとする課題】
【０００５】
しかしながら、ユーザの使用環境によっては、一つの撮影システムにおいて用途に応じてサイズ違いの電子カセッテ、新旧モデルの異なる電子カセッテが混在することが考えられる。そのような複数種の電子カセッテが混在する場合、電子カセッテ毎に対応した充電装置が必要となる可能性があり、充電装置の設置スペースの確保や、利便性の面でユーザに負担を強いるおそれがある。しかしながら、特許文献１では、これらに関する課題については考慮されていない。
【０００６】
本発明は、上記の課題に鑑みてなされたものであり、異なるサイズや、種類の異なる放射線撮影装置に対しても充電・保持可能であり、かつ省スペースを実現した放射線撮影装置の充電装置を提供することを目的とする。
【課題を解決するための手段】
【０００７】
上記の目的を達成するために、本発明の一態様による充電装置は以下の構成を備える。即ち、
受電部を備えた放射線撮影装置を収納して前記受電部へ電力を供給する充電装置であって、
前記受電部へ電力を供給する給電部と、
前記放射線撮影装置が収納された状態において、前記放射線撮影装置の１つの面と対向する第１の面と、前記放射線撮影装置の前記受電部が配置された面と対向する第２の面とを有する収納部と、
前記給電部と前記放射線撮影装置の１つの面との位置関係を調整する位置調整部と
を備えることを特徴とする。
【発明の効果】
【０００８】
本発明によれば、異サイズ、異種コネクタ形状を有する複数の放射線撮影装置に対しても充電、保持可能であり、かつ省スペースを実現した放射線撮影装置の充電装置を提供することができる。
【図面の簡単な説明】
【０００９】
【図１】本発明の実施形態１に係る放射線撮影装置の外観を示す図。
【図２】本発明の実施形態１に係る放射線撮影装置の内部構造を示す図。
【図３】本発明の実施形態１に係る充電装置を示す図。
【図４】本発明の実施形態１に係る充電装置の断面を示す図。
【図５】本発明の実施形態２に係る充電装置の断面を示す図。
【図６】本発明の実施形態３に係る充電装置の断面を示す図。
【図７】本発明の実施形態１の変形例に係る充電装置の断面を示す図。
【発明を実施するための形態】
【００１０】
以下、図面を参照しながら実施形態を説明する。なお、以下の実施形態において示す構成は一例に過ぎず、本発明は図示された構成に限定されるものではない。
【００１１】
（実施形態１）
＜放射線撮影装置（カセッテ）の外観構成＞
図１（ａ）、図１（ｂ）は、本発明の実施形態１に係る放射線撮影装置（カセッテ１００）を表す図である。図１（ａ）は放射線入射側から見た図を、図１（ｂ）は放射線の入射側とは反対側である裏面側から見た図である。カセッテ１００は、外装としての筺体１０１を有する。そして、放射線を検出するセンサ（不図示）や、電源となる着脱可能なバッテリ１０３及びバッテリホルダ１０４、バッテリロック１０５、センサへ外部から電力を供給したり、外部システムと通信したりするための受電部１０６などが内蔵される。バッテリ１０３は２次電池であり、キャパシタを採用してもよい。
【００１２】
カセッテ１００の外装は、放射線入射側に大きな開口部を持つ筺体１０１と、放射線を透過しやすい材料で形成された放射線透過板１０２とを含む。なお、放射線透過板１０２は、筺体１０１に設けられた開口部に固定していてもよい。筺体１０１には、軽量で剛性の高いアルミニウム合金やマグネシウム合金、またはＣＦＲＰ（カーボン繊維強化プラスチック）等の材料が用いられる。筺体１０１によりカセッテ１００の外部が構成されることで、カセッテ１００の内部の構成要素が保護される。なお、筺体１０１にＣＦＲＰを用いる場合は、放射線の入射面に開口を設けず、筺体１０１及び放射線透過板１０２が一体化されていてもよい。
【００１３】
＜放射線撮影装置（カセッテ）の内部構成＞
図２は、本発明の実施形態１に係る放射線撮影装置（カセッテ１００）の内部構造を示す図である。カセッテ１００は、被写体を透過した放射線を電気信号に変換する。カセッテ１００の内部には放射線を検出するセンサ（不図示）がセンサ保持板１０７の前面に固定された状態で筺体１０１に内蔵されている。センサには、フラットパネルディテクタ（ＦＰＤ）が使用される。センサの例であるフラットパネルディテクタは、基板と、当該基板の表面に二次元状に配列される光電変換素子と、当該光電変換素子に積層して設けられるシンチレータ層（蛍光体の層）とを有する。そして、放射線が入射するとシンチレータ層が発光し、光電変換素子はシンチレータ層が発する光を検出して電気信号に変換する。これにより、放射線画像のデータが得られる。なお、センサは、放射線を直接電気信号に変換する直接変換型の素子を二次元状が配置されたものであってもよい。
【００１４】
センサに積層される蛍光体の材料としては、一般的にＧＯＳ（Ｇｄ２Ｏ２Ｓ）もしくはＣｓＩが用いられる。センサ保持板１０７のセンサ貼付面との反対の面には電気基板１０８が取り付けられ、センサで変換された電気信号を、フレキシブルケーブル１０９を介して読み出し、電気基板１１１で処理し、画像データを生成している。生成された撮影画像は、外部の表示システム（不図示）に送信されて表示される。通信の方法としては、有線接続、無線接続の何れでもよく、無線であれば２．４ＧＨｚや５ＧＨｚ帯を主として使用する。これらの通信方法によりＰＣやタブレット等に転送されて撮影画像が確認される。また、電気基板１０８は、ケーブル１１０を介して受電部１０６と接続されている。
【００１５】
バッテリ１０３は、バッテリホルダ１０４に着脱可能に保持され、バッテリロック１０５がバッテリ１０３を安定的に固定することでカセッテ１００に搭載される構造である。バッテリホルダ１０４は、センサ保持板１０７の背面（センサが取り付けられる側とは反対側の面）に取り付けられていて、バッテリ１０３は筺体１０１の背面側から着脱可能となっている。バッテリホルダ１０４にバッテリ１０３が装着されると、バッテリ１０３の電力は、センサなどカセッテ１００の各部に供給され、各部はバッテリ１０３から供給される電力によって動作する。
【００１６】
＜充電装置の構成＞
次に、本発明の実施形態１に係る充電装置２００を説明する。図３は、本発明の実施形態１に係る充電装置２００の斜視図を示している。また、図４（ａ）、図４（ｂ）は図３のＡ−Ａ断面図を示しており、それぞれカセッテ１００ａ、１００ｂが挿入された状態である。
【００１７】
カセッテ１００ａ、１００ｂはサイズが異なり、充電装置２００への収納時の保持端面から受電部までの距離が異なる。以下、本実施形態に係る充電装置２００であればいずれのカセッテに対しても充電・保持可能であることを説明する。充電装置２００は、矢印２０００の方向から見てコの字形状の充電装置外装２０１を有し、カセッテ１００ａやカセッテ１００ｂを収納部（凹部２００１）に挿入することでバッテリ１０３を充電可能である。収納部は、カセッテが収納された状態において、カセッテの１つの面と対向する第１の面と、カセッテの受電部が配置された面と対向する第２の面とを少なくとも有し、凹部２００１を形成している。
【００１８】
まず図４（ａ）を用いて、充電装置２００の構成、及びカセッテ１００ａを充電する際のフローを説明する。充電装置２００は、装填されたカセッテ１００ａに対し電力を給電する給電部２０４、カセッテ１００ａの受電部１０６が配置された側面と対向し、当該側面と接する壁面部２０２、壁面部２０２と隣接し、カセッテ１００ａを保持する底部２０３を有する。また、底部２０３は、壁面部２０２に対する位置を調整するための駆動機構を有する位置調整機構２０５を介して充電装置外装２０１に係留されており、カセッテ１００ａを保持する位置を調整することが可能である。給電部２０４がカセッテ側の受電部１０６と接触することで充電装置２００からカセッテ１００ａへ電力を供給する。
【００１９】
カセッテ１００ａを充電する際には、位置調整機構２０５を操作し、充電装置２００の底部２０３上のカセッテ保持面から給電部２０４までの距離Ｘと、カセッテ１００ａ側の底部に接する端面から受電部１０６までの距離Ｌａとを略同一に調整する。その後、カセッテ１００ａを壁面部２０２の壁面まで挿入すると、充電装置２００の給電部２０４とカセッテ１００ａの受電部１０６とが接触し、カセッテ１００ａへの充電が開始される。操作性を考慮し、位置調整機構２０５はユーザが位置調整動作を行うためのハンドル部２０６ａ、及び、位置調整を行った底部位置を固定するためのロック部２０６ｂを有してもよい。
【００２０】
図４（ｂ）に示すカセッテ１００ｂを充電する際も、上記フローと同様にして位置調整機構２０５を操作し、充電装置２００側の底部２０３上のカセッテ保持面から給電部２０４までの距離Ｘと、カセッテ１００ｂ側の保持面に接する端面から受電部１０６までの距離Ｌｂとを略同一に調整することで充電が可能となる。
【００２１】
また、ユーザが手動で位置調整を行うのではなく、充電装置２００が自動で位置調整を行うように構成してもよい。例えば、挿入されるカセッテ表面に印刷されるマーカなどのカセッテの識別情報を充電装置２００が読み取る読取部（不図示）を設け、その読取結果に基づいて位置調整機構２０５を制御してもよい。また、カセッテの重量を測定する測定部を設け、その測定結果に基づいて位置調整機構２０５を制御してもよい。これらの場合、カセッテの識別情報と対応付けた位置調整量、カセッテの重量をと対応付けた位置調整量を予め記憶しておくことになる。これにより、ユーザの操作性がさらに向上するという効果がある。
【００２２】
また、カセッテはＪＩＳ規格を準拠した厚さで形成されることが多く、１５ｍｍ程度の厚さを持っている。厚さ方向で中心対称な形状をしていなければ、そのカセッテ形状に、底部２０３上のカセッテを保持する保持面を合わせて形成してもよい。すなわち、充電装置の底部を構成するカセッテの載置面の形状を、底部と接する部分のカセッテの形状に対応するように形成してもよい。これにより、カセッテの表裏挿入方向も限定することが可能となり、誤った方向でのカセッテの挿入を防止することができる。
【００２３】
なお、上記に説明した実施形態における給電部２０４及び受電部１０６は電力の供給、通信、もしくは両方を可能としてもよく、さらには接触式端子ではなく近距離通信のような非接触タイプであってもよい。
【００２４】
[変形例]
図７（ａ）、図７（ｂ）は、本発明の実施形態１の変形例に係る充電装置の断面を示す図である。図７（ａ）は、図４（ａ）の充電装置を９０度回転させたものである。同様に、図７（ｂ）は、図４（ｂ）の充電装置を９０度回転させたものである。ここで、図４（ａ）、図４（ｂ）と同じ構成要素には同じ符号を付しているが、壁面部２０２が底部７０３へ、底部２０３が壁面部７０２へと置き換わっている点が異なる。充電装置２００とカセッテ１００ａ、１００ｂは底部７０３で接続されており、位置調整機構２０５は、底部７０３に対する壁面部７０２の位置を調整する。図４及び図７の例から分かるように、位置調整機構２０５は、充電装置２００の底部と壁面部との位置関係を調整する機能を有するものである。
【００２５】
図４の例では充電装置２００の底部２０３がカセッテ１００ａ、１００ｂの１つの面（底面）と対向する第１の面であり、図７の例では充電装置２００の壁面部７０２がカセッテ１００ａ、１００ｂの１つの面（側面）と対向する第１の面である。また、図４の例では充電装置２００の壁面部２０２がカセッテ１００ａ、１００ｂの受電部１０６が配置されている面（側面）と対向する第２の面であり、図７の例では充電装置２００の底面部７０３がカセッテ１００ａ、１００ｂの受電部１０６が配置されている面（底面）と対向する第２の面である。以降の実施形態で説明する構成においても、充電装置を９０度回転させた構成であってもよい。
【００２６】
以上説明したように、実施形態１の構成によれば、異なる位置に受電部を有する複数のカセッテに対しても充電、保持が可能であり、かつ省スペースを実現したカセッテの充電装置を提供することが可能となる。
【００２７】
（実施形態２）
実施形態１では、カセッテの保持位置が可変であり、受電部位置の異なるカセッテに対し充電可能な充電装置の説明を行った。実施形態１では、カセッテの保持位置を可変にするための駆動機構を設けていたが、実施形態２では駆動機構を設けることなくカセッテの保持位置を調整可能な構成について説明する。
【００２８】
図５を参照して、本実施形態に係る充電装置２００の構成、及びカセッテ１００ａを充電する際のフローを説明する。図５は、図４と同様に、図３のＡ−Ａ断面図を示しており、カセッテ１００ａを挿入している状態である。図４との違いは、カセッテ１００ａを保持する位置調整部材２０７が充電装置２００に対して着脱可能に構成される点である。着脱可能に構成し、挿入するカセッテ毎に必要な位置調整部材を用意することで受電部位置の異なるカセッテに対して充電を行うことが可能となる。
【００２９】
カセッテ１００ａを充電する際には、位置調整部材２０７を充電装置２００に装着する。位置調整部材２０７は、カセッテ１００ａの端面から受電部１０６までの距離Ｌａと、充電装置２００の充電装置外装２０１における位置調整部材２０７固定面から給電部２０４までの距離Ｘとの差分の厚みＹを有し、カセッテを保持する位置を変えることができる。その後、カセッテ１００ａが壁面部２０２まで挿入されると、充電装置２００の給電部２０４とカセッテ１００ａの受電部１０６とが接触し、カセッテ１００ａへの充電が開始される。
【００３０】
カセッテ１００ａとは異なる位置に受電部を有するカセッテに対しても、該カセッテに固有なカセッテ端面から受電部までの距離Ｌに対し、位置を調整可能な厚みＹを有する底板（位置調整部材）を充電装置２００に装着することで充電・保持が可能となる。
【００３１】
なお、実施形態１で説明した位置調整機構２０５、及び、この位置調整部材２０７等を位置調整部と称するものとする。ただし、位置調整部の構成は実施形態１、２に係る構成に限定されるものではなく、充電装置２００の底部位置を調整可能であれば他の構成であってもよい。
【００３２】
以上説明したように、実施形態２の構成によれば、充電装置に駆動機構を設ける必要がなく、簡易な構成で、かつ軽量で可搬性に優れた充電装置を提供することが可能となる。
【００３３】
（実施形態３）
実施形態１、２においては、受電部位置の異なるカセッテに対して充電可能な充電装置の説明を行った。これに対して、実施形態３では、異なる受電部端子形状を有するカセッテへの充電に対応可能な充電装置を説明する。
【００３４】
図６を参照して、本実施形態に係る充電装置２００の構成、及びカセッテ１００ａを充電する際のフローを説明する。図６は、図５と同様に、図３のＡ−Ａ断面図を示しており、カセッテ１００ａを挿入している状態である。図５との違いは、カセッテ１００ａを保持する位置調整部材２０７が、カセッテ１００ａの保持位置を調整するだけでなく、給電部２０４と受電部１０６とを中継する中継アダプタの機能を有する点である。
【００３５】
位置調整部材２０７が充電装置２００に着脱可能に構成されている。位置調整部材２０７は、給電部側に給電部２０４と接続可能な給電部側端子２０９を有し、反対側にはカセッテ１００ａの受電部１０６と接続可能な受電部側端子２１０を有する。
【００３６】
カセッテ１００ａを充電する際には、位置調整部材２０７を充電装置２００に装着し、給電部２０４と位置調整部材２０７上の給電部側端子２０９とが接続される。その後、カセッテ１００ａが壁面部２０２まで挿入されると、受電部１０６と位置調整部材２０７上の受電部側端子２１０とが接続される。その結果、充電装置２００の給電部２０４とカセッテ１００ａの受電部１０６とが位置調整部材２０７を介在して接続され、カセッテ１００ａへの充電が開始される。
【００３７】
以上説明したように、実施形態３の構成によれば、異なる受電部端子形状を有するカセッテに対しても、充電・保持が可能な充電装置を提供することが可能となる。
【００３８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３９】
１００、１００ａ、１００ｂ：カセッテ、１０１：筺体、１０２：放射線透過板、１０３：バッテリ、１０４：バッテリホルダ、１０５：バッテリロック、１０６：受電部、１０７：センサ保持板、１０８：電気基板、１０９：フレキシブルケーブル、１１０：ケーブル、１１１：回路基板、２００：充電装置、２０１：充電装置外装、２０２，７０３：壁面部、２０３，７０２：底部、２０４：給電部、２０５：位置調整機構、２０６ａ：ハンドル部、２０６ｂ：ロック部、２０７：位置調整部材、２０９：給電部側端子、２１０：受電部側端子
【図１】
2017079934.tif 000003
【図２】
2017079934.tif 000004
【図３】
2017079934.tif 000005
【図４】
2017079934.tif 000006
【図５】
2017079934.tif 000007
【図６】
2017079934.tif 000008
【図７】
2017079934.tif 000009